(57)【特許請求の範囲】
【請求項１】
表面の一部を構成する金属部と表面の他部を構成する成形樹脂部とが一体化された複合品の表面が加飾された転写加飾品の製造方法であって、
第１型に前記複合品を配置する工程と、
転写層を有する転写シートを、前記金属部の表面と前記成形樹脂部の表面との境界を跨ぐように対向する位置に配置する工程と、
前記第１型と第２型とを型締めして、前記第２型と前記転写シートとの間にキャビティを形成する工程と、
前記キャビティに熱可塑性樹脂を射出して、その熱可塑性樹脂の圧力で前記転写シートを前記複合品に押し付けるとともに、当該熱可塑性樹脂で前記転写シートを加熱して前記複合品の表面に前記転写層を固着させる工程とを備えた、転写加飾品の製造方法。
【請求項２】
型締め前において、前記転写シートと前記複合品とが接触するように減圧吸引する工程を更に備えた、請求項１記載の転写加飾品の製造方法。
【請求項３】
前記転写シートを前記第１型と前記第２型との型締め方向に沿って挟持する工程を備えた、請求項１又は２記載の転写加飾品の製造方法。
【請求項４】
表面の一部を構成する金属部と表面の他部を構成する成形樹脂部とが一体化された複合品の表面が加飾された転写加飾品を製造する転写加飾装置であって、
前記転写層を有する転写シートが表面に配置された前記複合品が、前記複合品の裏面が接触するように載置される載置部が形成された第１型と、
前記第１型との型締めにより、前記転写シートの表面との間にキャビティが形成される第２型と、
溶融状態で前記転写シートを加熱しながら前記複合品に押圧し、前記転写シートを前記複合品の表面に接着させ、硬化後に前記複合品から分離される熱可塑性樹脂を前記キャビティに注入する媒体注入機構とを備えた、転写加飾装置。
【請求項５】
前記転写シートを挟持し、前記複合品に対して近接・離隔させる挟持クランプを更に備えた、請求項４記載の転写加飾装置。
【請求項６】
前記載置部に前記複合品を載置した状態で、前記複合品の周縁部の端面が前記第１型の型面から離隔するように前記載置部の高さが設定された、請求項４又は５記載の転写加飾装置。
【請求項７】
前記第１型の型面に、前記転写層が付着することを防止する付着防止コーティングが形成された、請求項４から６のいずれかに記載の転写加飾装置。
【請求項８】
前記キャビティに前記熱可塑性樹脂を注入した状態で、前記熱可塑性樹脂の圧力を高める加圧機構を更に備えた、請求項４から７のいずれかに記載の転写加飾装置。
【請求項９】
表面の一部を構成する金属部と表面の他部を構成する成形樹脂部とが一体化され、その表面に凹部又は凸部が形成された複合品と、
請求項１から３のいずれかに記載の製造方法を用いて、前記凹部又は前記凸部に転写された転写層とを備えた、転写加飾品。
【発明の詳細な説明】
【技術分野】
【０００１】
この発明は、複合品の一方の面に転写による加飾が施された転写加飾品の製造方法、転写加飾装置及び転写加飾品に関するものである。
【背景技術】
【０００２】
金属や樹脂等の成形品の表面に加飾が施された製品は、自動車、家庭用電化製品、携帯電話、パーソナルコンピュータ等あらゆる分野で使用されている。成形品の表面への加飾は、例えば、転写層を有する転写シートを成形品の表面に接触させて転写層の模様を転写することで行う。しかしながら、転写される成形品の表面形状が立体形状である場合には、転写シートを成形品の表面に沿って接触させるため、例えば、特許文献１に示す圧空成形装置を用いることもある。
【先行技術文献】
【特許文献】
【０００３】
【特許文献１】特許第３０１７１７５号公報
【発明の概要】
【発明が解決しようとする課題】
【０００４】
アルミニウム板等の金属体に転写加飾する場合、金属体に対して転写シートを押し付ける圧力がある程度大きくないと、転写層が金属体の表面に密着しない。また、金属体の表面が絞りの深い形状等の立体形状の場合には、圧空成形装置を用いたとしても、金属体の表面に転写シートが均等に密着するように、均一で十分な圧力を付与することは困難であり、必要な圧力を付与するためには設備自体も大掛かりなものとなる。又、金属部と成形樹脂部とが連続する表面を有する複合品を加飾する技術がある（特願２００９−２７２８３６、図７参照）。この技術で製造される製品は、開口を有する金属部と、その開口を充填するように金属部の裏面側に一体化された成形樹脂部と、金属部の表面と開口部分の成形樹脂部の表面に連続して形成された転写層とから構成されている。この製造方法では、射出成形金型内に転写シートと金属部とを所定の位置に配置し、キャビティに溶融樹脂を射出することにより、成形樹脂部の射出成形と転写層による表面加飾が同時に行われる。製品形状や成形条件によって、この製造方法では、溶融樹脂の流れと熱により、開口部分の転写シートは溶融樹脂の流れ方向に伸ばされ、金属部の転写シートは動きが抑制されているため、溶融樹脂の流れの先にある成形樹脂部と金属部との境界付近で転写シートにシワが発生することがある。
【０００５】
この発明は、上記のような課題を解決するためになされたもので、加飾時の転写シートのシワを防止して、複合品の表面を簡易かつ確実に転写層により加飾する、転写加飾品の製造方法及び転写加飾装置並びに転写加飾品を提供することを目的とする。
【課題を解決するための手段】
【０００６】
上記の目的を達成するために、第１の発明は、表面の一部を構成する金属部と表面の他部を構成する成形樹脂部とが一体化された複合品の表面が加飾された転写加飾品の製造方法であって、第１型に前記複合品を配置する工程と、転写層を有する転写シートを、金属部の表面と成形樹脂部の表面との境界を跨ぐように対向する位置に配置する工程と、第１型と第２型とを型締めして、第２型と前記転写シートとの間にキャビティを形成する工程と、キャビティに媒体を射出して、その媒体の圧力で転写シートを複合品に押し付けるとともに、その媒体で転写シートを加熱して複合品の表面に転写層を固着させる工程とを備えている。
【０００７】
このように構成すると、転写シートを複合品の表面に対向する位置に配置した後、第２型と転写シートとの間に形成されたキャビティに媒体を注入し、媒体により転写シートを複合品に押し付けるので、複合品の表面が絞りの深い形状等の立体形状であったとしても、転写シートと複合品との間にエア溜まりが発生し難く、転写シートと複合品との密着性
が向上し、複合品に確実に転写層が転写される。金属部と成形樹脂部との境界にも確実に転写される。とまた、転写シートを複合品に向けて押し付ける媒体として、例えば溶融樹脂を用いることで、転写シートに対し圧力と共に熱が付与される。その結果、転写シートを媒体の熱により軟化させつつ複合品に押し付けることができ、複合品に対して転写層を転写し易くすることができる。さらに、大掛かりな製造装置を用いることなく、簡易な射出金型により転写加飾品の製造が可能となった。
【０００８】
第２の発明は、第１の発明の構成において、媒体が熱可塑性樹脂である。
【０００９】
第２型と転写シートとの間に形成されたキャビティに注入される媒体は、転写シートを複合品の表面に押し付けるために用いられるだけであり、最終的に製造される転写加飾品には何ら含まれない。したがって、使用済みの媒体はそのまま廃棄されてしまう可能性が高くなり、媒体が例えば溶融樹脂である場合には環境に対して悪影響を及ぼすことにもなる。しかし、媒体が熱可塑性樹脂であると、転写シートを複合品の表面に押し付ける際には、高温の状態で射出され、その後低温となって固化したとしても再び熱を加えることで軟化する。よって、転写シートを複合品の表面に押し付けるために用いられた熱可塑性樹脂は、廃棄することなく再度利用することができる。
【００１０】
第３の発明は、第１又は第２の発明の構成において、型締め前において、転写シートと複合品とが接触するように減圧吸引する工程を更に備えている。
【００１１】
このように構成すると、転写シートを複合品の表面に押し付ける媒体の注入前に、転写シートが複合品に接触した状態となるので、媒体が転写シートを複合品の表面に押し付ける際に、複合品の表面に対する転写シートの接触ムラが起き難い。したがって、転写シートと複合品との密着性が向上し、複合品に確実に転写層が転写される。
【００１２】
第４の発明は、第１から第３のいずれかの発明の構成において、転写シートを第１型と第２型との型締め方向に沿って挟持する工程を備えている。
【００１３】
このように構成すると、転写シートが第１型と第２型との型締め方向に沿って挟持されるので、転写シートが複合品の表面からずれることが抑制されるとともに、複合品の表面に対し転写シートを確実に挟持して接触離隔することができる。
【００１４】
第５の発明は、表面の一部を構成する金属部と表面の他部を構成する成形樹脂部とが一体化された複合品の表面が加飾された転写加飾品を製造する転写加飾装置であって、転写層を有する転写シートが表面に配置された複合品が、複合品の裏面が接触するように載置される載置部が形成された第１型と、第１型との型締めにより、転写シートの表面との間にキャビティが形成される第２型と、転写シートを複合品に押圧する媒体をキャビティに注入する媒体注入機構とを備えている。
【００１５】
このように構成すると、複合品を転写シートと接触させた状態で載置部に載置し、第２型と転写シートとの間に形成されたキャビティに、媒体注入機構から媒体を注入して媒体により転写シートを複合品に押し付けることができ、結果として、確実に転写層が転写された転写加飾品を製造できる。
【００１６】
第６の発明は、第５の発明の構成において、転写シートを挟持し、複合品に対して近接・離隔させる挟持クランプを更に備えている。
【００１７】
このように構成すると、転写シートが挟持クランプで挟持された状態で複合品に対して接触・離隔するので、複合品の表面に転写シートが接触する状態と、複合品の表面から転写シートが離隔する状態が確実に保持される。その結果、複合品の表面に転写シートが接触する状態では、複合品に対し転写シートの位置がずれることが抑制され、複合品の表面から転写シートが離隔する状態では、複合品の第１型の載置部への載置及び、転写加飾品の第１型からの取出しが容易となる。
【００１８】
第７の発明は、第５又は第６の発明の構成において、載置部に複合品を載置した状態で、複合品の周縁部の端面が第１型の型面から離隔するように載置部の高さが設定されている。
【００１９】
このように構成すると、載置部に複合品を載置した状態で、複合品の周縁部が第１型の内面から離隔するよう載置部の高さを設定することで、複合品の周縁部の内方にまで転写シートを回り込ませることができ、複合品の表面の転写領域を拡げることができる。
【００２０】
第８の発明は、第５から第７のいずれかの発明の構成において、第１型の型面に、転写層が付着することを防止する付着防止コーティングが形成されている。
【００２１】
このように構成すると、金型の型面への転写層の付着を防止することができる
【００２２】
第９の発明は、第５から第８のいずれかの発明の構成において、キャビティに媒体を注入した状態で、媒体の圧力を高める加圧機構を更に備えている。
【００２３】
このように構成すると、キャビティに注入された媒体が圧縮されて転写シートの被加飾体の表面への押付力がさらに全体的に増すこととなり、転写層の複合品の表面への転写をより確実に行うことができる。
【００２４】
第１０の発明は、転写加飾品であって、表面の一部を構成する金属部と表面の他部を構成する成形樹脂部とが一体化され、その表面に凹部又は凸部が形成された複合品と、第１から第４のいずれかの発明の製造方法を用いて、凹部又は凸部に転写された転写層とを備えている。
【００２５】
このように構成すると、複合品の表面に形成された凹部又は凸部が微細であっても、媒体の熱と圧力を受けた転写層は凹部または凸部に沿って密接する。その結果、転写加飾品において、複合品の表面に形成された凹部または凸部は転写層によって確実に転写されて加飾されることとなる。また、転写加飾品において、被加飾体の表面加工（シボやローレット等）と絵柄の位置とを合わせることも可能となる。
【発明の効果】
【００２６】
この発明では、媒体の圧力と熱を利用して転写シートを複合品の表面に密着させるため、加飾時の転写シートのシワを防止して、複合品の表面を簡易かつ確実に転写層により加飾することができる。
【図面の簡単な説明】
【００２７】
【図１】第１実施形態の転写加飾装置の構成を示す図である。
【図２】加飾シートを第１型に引き寄せた状態を示す図である。
【図３】型締めが完了した状態を示す図である。
【図４】樹脂注入の状態を示す図である。
【図５】型開き後の状態を示す図である。
【図６】転写加飾品を取り出した状態を示す図である。
【図７】第２実施形態の転写加飾装置の要部であり、（ａ）は樹脂注入の状態を示し、（ｂ）は樹脂圧縮状態を示す。
【図８】別実施形態の転写加飾装置の要部を示す図である。
【図９】その（１）が複合品の概略構成を示した平面図であり、その（２）がその（１）で示したＩ−Ｉラインの断面図であり、その（３）がその（２）に対応した転写加飾品の断面図である
【発明を実施するための形態】
【００２８】
次に、発明の実施の形態について図を参照しながら説明する。
【００２９】
〔第１実施形態〕
図１から図６は、いずれも転写加飾品の製造工程を示す図である。転写加飾品は、複合品２０に対し、加飾シートとして転写シート１２を用いて加飾が施されて製造される。尚、図１から図８に示した複合品２０は、金属部８０と成形樹脂部８１とからなる、図９に示した複合品２０を簡略化して記載したものである。
【００３０】
転写加飾品の製造に用いられる転写加飾装置は、第１型１、第２型２、転写シート保持機構、及び媒体注入機構を備える。転写加飾品は、凸状部２０ａを有する複合品２０と、複合品２０の表面に形成された転写層１２ａと、を備えており、以下の製造工程を経て製造される。
【００３１】
［転写シート］
転写シート１２は、基体シート１２ｂと基体シート１２ｂ上に形成された転写層１２ａとを備えている。基体シート１２ｂは、転写層１２ａを支持するシート体である。基体シート１２ｂは、公知の転写シートの基体シートを使用することができる。基体シート１２ｂの構成材料としては、ポリエチレンテレフタレート等のポリエステル系樹脂、ポリプロピレン系樹脂、アクリル系樹脂、ポリカーボネート系樹脂、ポリアミド系樹脂、ポリイミド系樹脂、オレフィン系樹脂、ウレタン系樹脂及びアクリロニトリルブタジエンスチレン系樹脂からなる群より選択される少なくとも１種の合成樹脂が好ましく挙げられる。基体シート１２ｂは、上記の合成樹脂から形成された単層シート、単層シートを２以上積層した積層シート、上記の合成樹脂を用いた共重合シート等が挙げられる。特に、この発明の各実施形態による転写加飾品の製造方法では、寸法安定性のよい、印刷乾燥により変形しにくいポリエチレンテレフタレート樹脂等の基体シートを容易に選択することができる。尚、真空吸引により転写シート１２を複合品２０に密着させた後、ゴム体で加圧する従来の転写では、所定の範囲で熱圧変形し易い基体シート１２ｂを選択する必要がある。
【００３２】
転写層１２ａは、例えば、文字や絵柄を表現する図柄層、複合品と転写層との接着性を向上させる接着層を備えている。複合品２０の表面の強度を確保し耐擦傷性を向上させるハードコート層や層間密着性を向上させるアンカー層を備えたり、複数の図柄層等同種の層を複数備えたりしてもよい。基体シート１２ｂと転写層１２ａとの間に基体シート１２ｂからの転写層１２ａの剥離性を向上させる離型層を備えてもよい。図柄層等は、グラビア印刷法、スクリーン印刷法、オフセット印刷法等の印刷法、グラビアコート法、ロールコート法、コンマコート法等のコート法により基体シート１２ｂ上に形成される。
【００３３】
［複合品］
図９の（１）及び（２）を参照して、複合品２０は、中央が大きく開口した平面視矩形形状の金属部８０と、その開口８３を充填するようにして金属部８０の裏面全体に一体化された成形樹脂部８１とから構成されている。複合品２０は、周縁が少し下方に立ち上がる形状をしている。金属部８０が複合品２０の表面の一部を構成し、成形樹脂部８１の表面が複合品２０の他部を構成し、金属部８０の表面と成形樹脂部８１の表面とはなめらかに接続している。転写加飾品の例として、開口８３を液晶表示部とした携帯電話やスマートフォンの正面側筐体が挙げられる。この場合、成形樹脂部に透明な樹脂が使用される。図示していないが、転写加飾品では、成形樹脂部８１を利用して、転写加飾品の裏面に背面側筐体との嵌合用のボスやリブを形成することができる。この場合、別工程でリブ等を取り付ける必要がなくなり、更に、リブ等が一体成形されているため、筐体全体の厚みを薄くすることもできる。図９の（３）を参照して、転写加飾品は、金属部８０の表面と成形樹脂部８１の表面とを覆うように形成された転写層１２ａを備えている。転写層１２ａは、例えば、光硬化性樹脂や熱硬化性樹脂からなる、表面強度を向上させる透明なハードコート層が挙げられる。転写層１２ａは、単層であっても、複数の層が積層されたものであってもよく、複合品の形状に合わせて、部分的に図柄を形成してもよい。
金属部８０は、例えば、凸状部２０ａを有するアルミニウム等の金属プレス板がある。金属部８０は、金属板と同様に表面加飾することができるものであれば、樹脂成形体、ガラス等でもよい。金属部８０の表面には、何ら前処理はなされないか、アルマイト処理（金属部８０がアルミニウムの場合）、フレーム処理、プラズマ処理等の表面処理がなされているか、転写層１２ａが形成され易いように予め接着剤の塗付等の表面処理がなされているか、転写層１２ａが接着し易いシートが予め貼り付けられる。金属部８０の表面処理や表面の被覆材は、金属部８０と表面に形成される転写層１２ａの各組合せに応じて適合する材質を選択する必要がある。成形樹脂部８１も、転写層１２ａが固着しやすくなるように、表面処理や接着シートや接着層等による表面被覆がなされてもよい。
成形樹脂部８１の構成材料としては、例えば、ポリスチレン系樹脂、ポリオレフィン系樹脂、ＡＢＳ樹脂、ＡＢＳ樹脂、ＡＳ樹脂、ＡＮ樹脂などの汎用樹脂を挙げることができる。又、ポリカーボネート系樹脂、アクリル系樹脂などの汎用エンジニアリング樹脂やポリイミド樹脂、液晶ポリエステル樹脂などのスーパーエンジニアリング樹脂を使用することもできる。更に、ガラス繊維や無機フィラーなどの補強材を添加した複合樹脂も使用することができる。
【００３４】
［第１型］
第１型１には、複合品２０が配置される載置部１Ａが内面から突出して形成されている。載置部１Ａは、複合品２０の裏面の形状に対応する形状である。したがって、載置部１Ａは、平面状や、凹状に形成されていてもよい。また、第１型１は、型締めの際に、複合品２０に沿って加飾シートとして転写シート１２が配置されるよう構成されている。第１型１の載置部１Ａへの複合品２０の配置が終了した段階で、複合品２０と第２型２との間に転写シート１２が配置される。転写シート１２は転写層１２ａと基体シート１２ｂとで構成されており、転写層１２ａが複合品の表面を加飾する。当該転写シート１２は、例えば、ロール状の長尺フィルムを当該位置に展開配置したものである。
【００３５】
［第２型］
第２型２には、複合品２０の表面に沿った形状を有するキャビティ面２Ａが形成されており、第１型１との型締めによって、複合品２０とキャビティ面２Ａとの間に樹脂が注入可能なキャビティ空間Ｖを形成する。
【００３６】
［転写シート保持機構］
転写シート保持機構として、第１型１には、型面１ａに向けて弾性付勢された第１クランプ４と第２クランプ５とが設けられている。詳細には、図１に示すように、第１クランプ４は第２クランプ５よりも型面１ａに近い位置に設けられ、第１型１の内部を貫通する作動ロッド６が第１型１の内部に設けられた空間部１Ｂの可動プレート７に取付けられている。また、第２クランプ５は、第１型１の内部を貫通する作動ロッド８が第１型１の内部に設けられた空間部１Ｂの可動プレート９に取付けられている。
【００３７】
可動プレート９は第１クランプ４の作動ロッド６が取り付けられる可動プレート７よりも型面１ａから離隔した位置に設けられており、作動ロッド８は可動プレート７を貫通して可動プレート９に取り付けられている。空間部１Ｂにおいて、可動プレート７は、可動プレート７と空間部１Ｂの型面１ａ側の壁面との間に配置された弾性部材７ａによって型面１ａから離隔する方向に付勢されている。可動プレート９は可動プレート７に弾性部材９ａを介して連結されており、弾性部材９ａは可動プレート９を型面１ａから離隔する方向に付勢する。その結果、第１クランプ４、５が型面１ａに向けて弾性付勢される。また、空間部１Ｂには可動プレート７及び９より型面１ａに近い位置に固定プレート１０が備えられている。
【００３８】
可動プレート９がエジェクトロッド、エアシリンダ等による押圧力を受け、弾性部材９ａに抗して第１型１の型面１ａに近づく方向に移動すると、弾性部材９ａを介して可動プレート７も同方向に移動して、作動ロッド６，８が第１クランプ４及び第２クランプ５を型面１ａから離隔させる。このとき、転写シート１２は第１クランプ４及び第２クランプ５によって挟持された状態にある。可動プレート９がさらに型面１ａに近づく方向に移動すると、可動プレート７は固定プレート１０に接触して停止する。しかし、可動プレート９は可動プレート７の停止後も弾性部材９ａに抗して型面１ａに移動する。その結果、第２クランプ５が第１クランプ４から離隔して転写シート１２の移動を許容する位置となる。
【００３９】
一方、可動プレート９がエジェクトロッド、エアシリンダ等の押圧力を受けない場合は、可動プレート９は弾性部材９ａの弾性付勢力を受けて第１型１の型面１ａから遠ざかる方向に移動し、可動プレート７も弾性部材７ａの弾性付勢力を受けて第１型１の型面１ａから遠ざかる方向に移動する。すなわち、第１クランプ４及び第２クランプ５は型面１ａに近接し、第２クランプ５が第１クランプ４と接触して転写シート１２を挟持して保持する位置となる。
【００４０】
［媒体注入機構］
第２型２には、媒体注入機構として溶融樹脂（媒体）３０を射出して注入するゲート１１が備えられている。ゲート１１は、載置部１Ａに配置された複合品２０の表面に対向するようにキャビティ面２Ａに形成されている。そして、第１型１と第２型２との型締めした状態において、キャビティ面２Ａと複合品２０の表面に配置された転写シート１２との間に形成されるキャビティＶにゲート１１から媒体が注入される。
【００４１】
［媒体］
注入される媒体３０は、粘度を有する液体や流動性を有する溶融樹脂等である。溶融樹脂については、熱可塑性樹脂、熱硬化性樹脂のいずれでであっても構わない。ただ、キャビティ面２Ａと転写シート１２との間に形成されたキャビティＶに注入される媒体３０は、転写シート１２を複合品２０の表面に押し付けるためだけに用いられる。よって、本発明では、使用済みの媒体３０はそのまま廃棄するのではなく、再利用する。そのためには、溶融樹脂としては例えば熱可塑性樹脂を用いる。媒体３０が熱可塑性樹脂であると、転写シート１２を複合品２０の表面に押し付ける際に高温の状態で注入され、その後低温となって固化したとしても再び熱を加えることで軟化するため、再利用が容易である。熱可塑性樹脂としては、例えば、ＰＣ／ＡＢＳ、ＰＥ、ＡＢＳ、ＰＳ、ＳＡＮ、ＥＶＡ、ＰＶＣ、ＰＭＭＡ、ＰＡ、ＰＯＭ、ＰＢＴ等が挙げられる。
【００４２】
［樹脂成形の処理手順］
図１に示すように、図外のマニピュレータ等を用いて複合品２０を第１型１の載置部１Ａに配置し、第２型２と第１型１に配置された複合品２０との間に転写シート１２を金属部８０の表面と成形樹脂部８１の表面との境界８２を跨ぐように対向する位置に配置する。このとき、第１型１の載置部１Ａに配置された複合品２０は、第１型１に設けられた吸引部１３により吸引されて保持される。尚、上記の複合品２０を配置する工程の前に、複合品２０を準備する工程がある。例えば、特願２００９−２７２８３６の図７で示した製造方法から加飾シートＳを取り除いた形態により製造される。詳しくは、金型内に金属部８０を配置する工程と、型締めしてキャビティに溶融樹脂を射出する工程と、保圧・冷却して金属部８０と成形樹脂部８１とを一体化させる工程と、型開きして複合品２０を取り出す工程とを備えている。金属部８０は、金型内に配置する前に予め所定の立体形状に形成されていても、射出成形時に所定の立体形状に変形するように構成されてもよい。
【００４３】
次に、第１クランプ４及び第２クランプ５により転写シート１２を挟持し、必要に応じてヒータで転写シート１２を加熱した後、図２に示すように、第１クランプ４及び第２クランプ５を第１型の型面１ａの方向に移動して、転写シート１２を複合品２０の表面に沿わせる。このとき、転写シート１２は、第１型１に設けられた吸引部１３により吸引されて保持される。
【００４４】
図３に示すように、第１型１と第２型２との型締めが完了すると、第２型２のキャビティ面２Ａと複合品２０の表面に配置された転写シート１２との間にキャビティＶが形成される。
【００４５】
次に、図４に示すように、形成されたキャビティＶに第２型２に備えられゲート１１から溶融樹脂３０を注入する。このとき、キャビティＶに注入された溶融樹脂３０によって転写シート１２が複合品２０の表面に向けて押圧され、その結果、複合品２０の表面に転写シート１２が確実に接着されることとなる。ここで、キャビティＶに注入される溶融樹脂３０が高温である場合には、溶融樹脂３０が転写シート１２を加熱し、複合品２０の表面をさらに加熱することとなり、複合品２０の表面への転写シート１２の転写層１２ａの転写がより確実に行われる。ここで、射出される溶融樹脂の温度は、例えば２８０℃以上になるよう設定されており、第１型１及び第２型は例えば８０℃以上になるよう設定されている。
【００４６】
図５に示すように、溶融樹脂３０が硬化した後、第２型を第１型から離隔して型締めを開放し、転写フィルム１２を第１クランプ４及び第２クランプ５で挟持した状態のまま被加飾体２０の表面から離隔する。その後、図６に示すように、第１型１に設けられた押し出し棒（図示せず）により転写加飾品Ｐを押し出して取り出すとともに、第２型２に設けられた押し出し棒（図示せず）により硬化した溶融樹脂３０を押し出し、転写シート１２の送りを再開する。
【００４７】
得られた転写加飾品Ｐは、複合品２０の表面が転写層１２ａにより確実に加飾される。こうして、本発明に係る製造方法及び転写加飾装置により、複合品２０の表面の加飾を行うことができる。また、溶融樹脂３０として熱可塑性樹脂を用いた場合には、硬化した樹脂に熱を加えて溶融樹脂に戻す等の別処理を行い、キャビティＶに注入する媒体として再利用する。
【００４８】
〔第２実施形態〕
この実施形態では、第１実施形態の構成と異なる構成についてのみ説明し、同じ構成については説明を省略する。本実施形態では、キャビティＶに媒体３０を注入した状態で、媒体３０の圧力を高める加圧機構が設けられている。図７（ａ）は溶融樹脂が注入された直後の状態を示し、図７（ｂ）は注入された溶融樹脂が圧縮された状態を示す。
【００４９】
図７（ａ）、図７（ｂ）に示すように、キャビティＶ内の媒体３０の圧力を高める加圧機構として、第２型２のキャビティ面の内部にスライド型３が備えられている。スライド型３は、第２型２に対して型締め方向に相対移動可能であり、スライド型３と第２型２との間には、スライド型３を第１型１から離隔する方向に付勢する弾性部材３ａが設けられている。型締め後において溶融樹脂３０が射出される際には、スライド型３は第２型２のキャビティ面から後退した位置に保持され（図７（ａ））、溶融樹脂３０の射出が完了した後に、スライド型３を弾性部材３ａに抗して第１型１に向けて前進させる（図７（ｂ））。その結果、キャビティＶの領域は小さくなり、注入された溶融樹脂３０が圧縮され、転写シート１２の複合品２０の表面全体への押圧力が増すこととなり、複合品２０への転写層による転写がより確実に行われる。
【００５０】
〔別実施形態〕
（１）上記の実施形態では、複合品２０は、その周縁部が第１型の型面１ａに接触した状態で第１型１の載置部１Ａに載置された例を示したが、図８に示すように、第１型１に形成された載置部１Ａが、載置部１Ａに複合品２０が載置された状態で、複合品２０の周縁部２０ｂが第１型１の型面１ａから離隔するよう高さ設定されていてもよい。こうして、複合品の周縁部２０ｂが第１型１の型面１ａから離隔していると、転写シート１２は複合品２０の周縁部２０ｂからその内方に回り込むことが可能となり、複合品２０の転写領域が拡がることとなる。なお、転写シート１２及び溶融樹脂３０が複合品２０の周縁部２０ｂからその内方に回り込んでいると、型開きの際に、複合品２０の表面から溶融樹脂３０及び転写シート１２がスムーズに離隔しない場合が発生する。このような場合には、溶融樹脂３０をゴム、ウレタン系の柔らかい樹脂で構成し、転写シート１２は枚葉にする。あるいは、アンダーカットをはずす機構を金型に組み込む。
【００５１】
（２）図８に示すように、第１型１の型面１ａに、転写シート１２から転写層が転写されるのを防止する付着防止コーティング１４が施されていてもよい。このように、型面１ａに付着防止コーティング１４が施されていると、型面１ａへの転写層１２ａの転写を確実に防止することができる。付着防止コーティング１４としては、型面１ａにシリコンやフッ素加工を施したり、表面凹凸処理（ブラスト・エッチング）をしたり、これら両者を併用して行う。
【００５２】
（３）第１クランプ４及び第２クランプ５の転写シート１２を保持する面にテフロン(登録商標)やコーティング済みリング等の摩擦を低減する部材を配置してもよい。こうすると、型締め前に複合品２０の凸状部２０ａに転写シート１２を押し付ける際に、転写シート１２の移動が許容され、転写シート１２を無理に引き伸ばすことなく、複合品２０の凸状部２０ａに沿わせることが可能となる。
【００５３】
（４）上記の実施形態では、複合品２０の表面に凹凸は形成されていないが、図８に示すように、複合品２０は例えば貫通部２０ｃ等を備えて表面に凹凸が形成されていてもよい。この場合であっても、溶融樹脂（媒体）３０が転写シート１２を貫通部２０ｃに密着するように押し付けて複合品２０に転写層１２ａを確実に転写することとなる。
【００５４】
（５）上記の実施形態では、複合品２０の表面に転写層１２ａによる加飾のみを施したが、第１型１にも樹脂を射出するゲートを設け、複合品２０の表面に転写層１２ａによる加飾と同時に複合品２０の裏面に樹脂部を成形するようにしてもよい。また、第１型１に金型の温度を調整する温度調整機構を設けて、複合品２０の温度を調整するようにしてもよい。こうすると、複合品２０が例えば金属体である場合には、温度調整機構によって加熱された複合品２０の表面に対し、転写シートの転写層は転写し易くなる。
【００５５】
（６）上記の実施形態では、転写加飾装置を垂直方向（縦向き）に配置したが、水平方向（横向き）に配置してもよい。
【００５６】
（７）上記の実施形態では、転写層１２ａを有する転写シート１２を用いる例を示したが、これに代えて、複合品２０の表面に対し、無地の基体シートまたは基体シート上に模様等が付されたインサートシートをそのまま一体にして加飾する構成にしてもよい。また、上記の実施形態では、転写シート１２をロール状の長尺フィルムにして複合品２０の表面に対向する位置に展開配置する例を示したが、複合品２０の外形に合わせてカッティングしたものを配置してもよいし、複合品２０より大きい任意の形状（例えば、長方形の枝葉シート）でもよい。
【００５７】
本発明の各実施形態による転写加飾品の製造方法では、複合品２０の表面に転写シート１２を密着させ、転写層１２ａを転写させるにあたって、溶融樹脂３０による加圧及び加熱を用いている。加圧は転写シート１２への直接的な加圧であり、加熱は、転写シート１２への直接的な加熱及び複合品２０への加熱である。溶融樹脂３０といった流体により転写シート１２を複合品２０の表面に密着させているため、複合品２０の表面がなめらかな場合はもとより、エンボスやシボといった微細な凹凸形状の場合であっても、その凹凸形状に溶融樹脂３０が流れ込み、転写シート１２が凹凸形状に精度よく密着し、凹凸形状に精度よく転写層１２ａを転写させることができる。あるいは、大きな凹凸形状であっても、その凹凸形状の隅部にまで精度よく転写層１２ａを転写させることができる。また、溶融樹脂３０の流入地点から徐々に拡大する、溶融樹脂３０の流れによる連続的な加圧であるため、転写シート１２を密着させる過程での、転写シート１２と複合品２０との間に空気溜まりを作ってしまう、いわゆるエアかみの発生も効果的に防止することができる。
【００５８】
また、本発明の各実施形態による転写加飾品の製造方法では、基体シート１２ｂに寸法安定性のよい、印刷乾燥により変形しにくい材料を選択することができるため、図柄の位置や大きさの印刷精度の高い転写シート１２を用いて、転写を行うことができる。そのため、結果として、図柄の位置や大きさと複合品２０の凹凸形状との位置精度の高い転写加飾品Ｐを製造することができる。
【産業上の利用可能性】
【００５９】
この発明の転写シートは、携帯電話、パーソナルコンピュータ等の筐体、自動車部品の加飾に利用することができる。
【符号の説明】
【００６０】
１    第１型
２    第２型
３    スライド型
４    第１クランプ
５    第２クランプ
１１    ゲート
１２    転写シート（加飾シート）
１３    吸引部
１４    付着防止コーティング
２０    複合品
２０ａ  凸状部
３０    媒体（溶融樹脂）
８０    金属部
８１    成形樹脂部
８２    境界
Ｖ    キャビティ
Ｐ    転写加飾品
【図１】
0005313302.tif 000002
【図２】
0005313302.tif 000003
【図３】
0005313302.tif 000004
【図４】
0005313302.tif 000005
【図５】
0005313302.tif 000006
【図６】
0005313302.tif 000007
【図７】
0005313302.tif 000008
【図８】
0005313302.tif 000009
【図９】
0005313302.tif 000010